(57)【要約】【課題】組立前の作業を容易迅速に行える包装箱を提供する。【解決手段】一枚のシート状部材１からなり、シート状部材１が、後側板部１４と左側板部１０と前側板部８と右側板部１２とを有する本体部２と、本体部２の左右方向両端を連結する本体用連結部３と、本体部２の下端に下方に連続して設けられる底部５と、右側底板部３０と前側底板部２４とを連結する第１連結板部３５と左側底板部２８と後側底板部１４とを連結する第２連結板部３６とを有する底部用連結部７と、前側底板部２４の下端に下方に連続して設けられシート状部材１を折り曲げて箱体を組み立てる組み立て時に該箱体の内部に位置して収納される物品を保持する保持板部６とを備える。【選択図】図１
2015096427.tif 000002
【特許請求の範囲】
【請求項１】
一枚のシート状部材からなり、
前記シート状部材が、
後側板部と左側板部と前側板部と右側板部とが左右方向に連続して設けられる本体部と、
前記本体部に設けられ該本体部の左右方向両端に位置する２つの側板部同士を連結するための本体用連結部と、
前記前側板部の下端に下方に連続して設けられる前側底板部と前記後側板部の下端に下方に連続して設けられる後側底板部と前記左側板部の下端に下方に連続して設けられる左側底板部と前記右側板部の下端に下方に連続して設けられる右側底板部とを有する底部と、
前記左側底板部又は右側底板部のうちの一方に設けられ該一方と前記前側底板部とを連結する第１連結板部と前記左側底板部又は右側底板部のうちの他方に設けられ該他方と前記後側底板部とを連結する第２連結板部とを有する底部用連結部と、
前記前側底板部又は後側底板部のうちの一方の下端に下方に連続して設けられ前記シート状部材を折り曲げて組み立てられる箱体の内部に位置して収納される物品を保持する保持板部と、を備え、
前記前側底板部又は後側底板部を、前記前側板部又は後側板部の裏面に重ねるように折り曲げ、残る後側底板部又は前側底板部を、前記後側板部又は前側板部の裏面に重ねるように折り曲げるとともに、前記左側底板部及び右側底板部を前記左側板部及び右側板部の裏面にそれぞれ重ねるように折り曲げ、かつ、前記２つの連結板部のうちの一方を前記左側底板部に他方を前記右側底板部にそれぞれ重ねるように折り曲げてから、前記本体部の左右方向両端に位置する２つの側板部をこれに隣り合う左右方向内側に位置する２つの側板部にそれぞれ重ねるように折り曲げることによって、前記前後の底板部と左右の底板部とが前記２つの連結板部によりそれぞれ連結されると同時に、前記本体部の左右方向両端が前記本体用連結部により連結されて、前記底部が前記本体部に折畳まれた二つ折り状態の箱形成体を構成し、
前記二つ折り状態の箱成形体を構成する左右の側板部を前後の側板部に対して９０度起立させることにより、前記４つの底板部が略水平姿勢に姿勢変更して底部が閉じられた四角形の箱体を構成すると同時に、該箱体内に前記保持板部が配置されるように構成されていることを特徴とする包装箱。
【請求項２】
前記本体部の上端に上方に連続して設けられる蓋部を備え、前記蓋部は、前記前側板部又は前記後側板部のうちの一方の上端に上方に連続して設けられる蓋板部と、前記左側板部の上端に上方に連続して設けられる左側蓋板部と、前記右側板部の上端に上方に連続して設けられる右側蓋板部とを備えていることを特徴とする請求項１に記載の包装箱。
【請求項３】
前記蓋板部が、前記後側板部の上端に上方に連続して設けられ、前記保持板部が、前記前側底板部の下端に下方へ延出されていることを特徴とする請求項２に記載の包装箱。
【請求項４】
前記保持板部が、前記前側底板部の幅と略同一幅を有し、かつ、幅方向に沿って複数の縦長状のスリットが間隔を置いて形成され、前記後側板部の内面に延出端が当接して箱体内に延出端側ほど上方に位置する傾斜姿勢で配置されるよう、前記保持板部の延出方向の長さを設定していることを特徴とする請求項３に記載の包装箱。
【発明の詳細な説明】
【技術分野】
【０００１】
本発明は、物品を収納して運搬する、あるいは運搬した後展示するための包装箱に関する。
【背景技術】
【０００２】
かかる包装箱としては、運搬時に箱の内部に物品を保持する保持板部（仕切部）を備えているものが既に提案されている。この包装箱は、一枚のシート状部材で組み立てられる。そのシート状部材は、左側板部と前側板部と右側板部と後側板部とが左右方向に連続して設けられた本体部を備えている。また、本体部を構成する左側板部の左右方向一端に後側板部の裏面に糊付けして左側板部と後側板部とを連結するための糊付け片が設けられている。また、後側板部の上端に上方に連続して蓋板部が設けられ、左側板部の上端に上方に連続して左側蓋板部が設けられ、右側板部の上端に上方に連続して右側蓋板部が設けられている。さらに、前側板部の下端に下方に連続して前側底板部が設けられ、後側板部の下端に下方に連続して後側底板部が設けられ、左側板部の下端に下方に連続して左側底板部が設けられ、右側板部の下端に下方に連続して右側底板部が設けられている。さらにまた、左側底板部に左側底板部と前側底板部とを連結するための第１糊付け片が設けられ、右側底板部に右側底板部と後側底板部とを連結するための第２糊付け片が設けられ、前側底板部の下端に下方に連続して立上片と上面片と仕切り用糊付け片とが設けられ、立上片の左端に補強片が左方に連続して設けられている（例えば、特許文献１参照）。
【先行技術文献】
【特許文献】
【０００３】
【特許文献１】特開２０１１−２１９１５３号公報
【発明の概要】
【発明が解決しようとする課題】
【０００４】
上記特許文献１の構成の包装箱は、シート状部材を上下方向の折曲部で折り曲げることによって、二つ折り状態の包装体にして出荷される。この二つ折り状態の包装体にするには、まず、仕切り用糊付け片を折り曲げて前側板部の裏面に糊付けしてから、補強片を立上片の表面に重ねるように折り返す。次に、第１糊付け片を前側底板部に糊付けするとともに、第２糊付け片を後側底板部に糊付けし、更に左側板部の糊付け片を後側板部に糊付けして、二つ折り状態の包装体にしている。
【０００５】
このように構成された二つ折り状態にされた包装体の左側板部及び右側板部を後側板部及び前側板部に対して９０度起立させることにより底部が閉じられた四角形の箱体を構成すると同時に箱体内に立上げ片が立ち上げられて、包装箱が組み立てられる。
【０００６】
上記構成の包装箱では、仕切り用糊付け片を折り曲げて前側板部の裏面の所定位置に糊付けしなければならないだけでなく、補強片を立上片の表面に重ねるように折り返す作業が必要になり、包装箱の組立前の作業が非常に手間のかかる作業になっていた。
【０００７】
本発明が、前述の状況に鑑み解決しようとするところは、組立前の作業を容易迅速に行える包装箱を提供することを課題とする。
【課題を解決するための手段】
【０００８】
本発明の包装箱は、前述の課題解決のために、一枚のシート状部材からなり、前記シート状部材が、後側板部と左側板部と前側板部と右側板部とが左右方向に連続して設けられる本体部と、前記本体部に設けられ該本体部の左右方向両端に位置する２つの側板部同士を連結するための本体用連結部と、前記前側板部の下端に下方に連続して設けられる前側底板部と前記後側板部の下端に下方に連続して設けられる後側底板部と前記左側板部の下端に下方に連続して設けられる左側底板部と前記右側板部の下端に下方に連続して設けられる右側底板部とを有する底部と、前記左側底板部又は右側底板部のうちの一方に設けられ該一方と前記前側底板部とを連結する第１連結板部と前記左側底板部又は右側底板部のうちの他方に設けられ該他方と前記後側底板部とを連結する第２連結板部とを有する底部用連結部と、前記前側底板部又は後側底板部のうちの一方の下端に下方に連続して設けられ前記シート状部材を折り曲げて組み立てられる箱体の内部に位置して収納される物品を保持する保持板部と、を備え、前記保持板部を備える前側底板部又は後側底板部を、前記前側板部又は後側板部の裏面に重ねるように折り曲げ、残る後側底板部又は前側底板部を、前記後側板部又は前側板部の裏面に重ねるように折り曲げるとともに、前記左側底板部及び右側底板部を前記左側板部及び右側板部の裏面にそれぞれ重ねるように折り曲げ、かつ、前記２つの連結板部のうちの一方を前記左側底板部に他方を前記右側底板部にそれぞれ重ねるように折り曲げてから、前記本体部の左右方向両端に位置する２つの側板部をこれに隣り合う左右方向内側に位置する２つの側板部にそれぞれ重ねるように折り曲げることによって、前記前後の底板部と左右の底板部とが前記２つの連結板部によりそれぞれ連結されると同時に、前記本体部の左右方向両端が前記本体用連結部により連結されて、前記底部が前記本体部に折畳まれた二つ折り状態の箱形成体を構成し、前記二つ折り状態の箱成形体を構成する左右の側板部を前後の側板部に対して９０度起立させることにより、前記４つの底板部が略水平姿勢に姿勢変更して底部が閉じられた四角形の箱体を構成すると同時に、該箱体内に前記保持板部が配置されるように構成されていることを特徴としている。
【０００９】
上記構成によれば、本体部に重ねるように底部を折り曲げ、折り曲げた底部に重ねるように底部用連結部を折り曲げるとともに、左右方向両端に位置する２つの側板部を内側に位置する２つの側板部に重ねるように折り曲げる。これによって、二つ折り状態の箱成形体を構成することができる。二つ折り状態の箱成形体が構成された後において、二つ折り状態の箱成形体を構成する左右の側板部を前後の側板部に対して９０度起立させることにより底部によって閉じられた四角形の箱体を構成すると同時に箱体内に保持板部が自ずと配置される。これにより、箱体を組み立てる前の二つ折り状態の箱成形体を構成する際に、保持板部に対する特別な作業を行うことを不要にすることができる。
【００１０】
また、本発明の包装箱は、前記本体部の上端に上方に連続して設けられる蓋部を備え、前記蓋部が、前記前側板部又は前記後側板部のうちの一方の上端に上方に連続して設けられる蓋板部と、前記左側板部の上端に上方に連続して設けられる左側蓋板部と、前記右側板部の上端に上方に連続して設けられる右側蓋板部とを備えていてもよい。
【００１１】
また、本発明の包装箱は、前記蓋板部が、前記後側板部の上端に上方に連続して設けられ、前記保持板部が、前記前側底板部の下端に下方へ延出されていてもよい。
【００１２】
また、本発明の包装箱は、前記保持板部が、前記前側底板部の幅と略同一幅を有し、かつ、幅方向に沿って縦長状の複数のスリットが間隔を置いて形成され、前記後側板部の内面に延出端が当接して箱体内に延出端側ほど上方に位置する傾斜姿勢で配置されるよう、前記保持板部の延出方向の長さを設定していてもよい。
【００１３】
上記構成にしておけば、保持板部が、前側底板部の幅と略同一幅を有しているため、箱体を組み立てるときに不測に折れ曲がることを抑制することができる保形強度を備えることができる。また、箱体を組み立てるときに、後側板部の内面に延出端が当接して箱体内に延出端側ほど上方に位置する傾斜姿勢で保持板部が自ずと配置され、常に保持板部を同一の傾斜姿勢に配置することができる。
【発明の効果】
【００１４】
本発明によれば、シート状部材を折り曲げて組み立てられる箱体の内部に位置して収納される物品を保持する保持板部を備えているので、底部が閉じられた四角形の箱体を構成するだけで、箱体内に保持板部が自ずと配置される。従って、箱体を組み立てる前の二つ折り状態の箱成形体を構成する際に、保持板部に対する特別な作業を行うことを不要にすることができ、組立前の作業を容易迅速に行える包装箱を提供することができる。
【図面の簡単な説明】
【００１５】
【図１】本発明の包装箱を構成するシート状部材を示す図である。
【図２】同包装箱を構成する底部を折り曲げた状態を示す図である。
【図３】同包装箱を構成する本体部の横一端側を折り曲げた状態を示す図である。
【図４】同包装箱を構成する本体部の横他端側を折り曲げた状態を示す図である。
【図５】図４の表裏を逆にした図である。
【図６】折り畳まれた状態の箱成形体を起立させて包装箱を構成した図である。
【図７】包装箱の底面図である。
【図８】包装箱にプリスターパックを収容している状態を示す図である。
【発明を実施するための形態】
【００１６】
図１に、本発明の包装箱を構成するための一枚のシート状部材１を示している。このシート状部材１は、厚紙、ダンボール紙等の紙製の他、合成樹脂製のシートから構成されている。ここでは、厚紙で構成されている。このシート状部材１を折り曲げて四角形の箱体１００を組み立てることによって、その箱体１００の内部に商品を保持する保持板部６を有する包装箱を構成することができる。
【００１７】
シート状部材１は、左右方向に長い横長状の本体部２と、本体部２の長手方向両端を連結する本体用連結部３と、本体部２の上端に設けられる蓋部４と、本体部２の下端に設けられる底部５と、底部５に設けられる保持板部６及び底部用連結部７とを備えている。尚、図１で露呈している表面を包装箱の内面とし、図１で露呈されていない反対側の裏面を包装箱の外面として、以下において説明する。
【００１８】
本体部２は、上下方向よりも左右方向の寸法が少し長い横長状の前側板部８と、前側板部８の左側に折り曲げ部である折り曲げ線９を介して連続して設けられる上下方向に長い縦長状の左側板部１０と、前側板部８の右側に折り曲げ部である折り曲げ線１１を介して連続して設けられる上下方向に長い縦長状の右側板部１２（左側板部１０と略同一の大きさ）と、左側板部１０の左側端に折り曲げ部である折り曲げ線１３を介して連続して設けられる横長状の後側板部１４（前側板部８と略同一の大きさ）とを備えている。
【００１９】
本体用連結部３は、右側板部１２の右側端に折り曲げ線１５を介して連続して設けられている。この本体用連結部３の外面３Ａ（図３参照）には、接着剤である糊（図示せず）が塗布される。ここでは、糊を用いているが、各種の接着剤を用いることができる。そして、右側板部１２を前側板部８に重ねるように右側板部１２の左側端にある折り曲げ線１１で折り曲げるとともに、後側板部１４を左側板部１０に重ねるように後側板部１４の右側端にある折り曲げ線１３で折り曲げることによって、後側板部１４の左側端の内面１４Ａを本体用連結部３の外面３Ａの糊に接触させることができる（図４参照）。これによって、本体部２の長手方向両端、つまり後側板部１４の左側端と右側板部１２の右側端とを本体用連結部３を介して糊で連結することができる。
【００２０】
蓋部４は、後側板部１４の上端に折り曲げ線１６を介して上方に連続して設けられる蓋板部１７と、左側板部１０の上端に折り曲げ線１８を介して上方に連続して設けられる左側蓋板部１９と、右側板部１２の上端に折り曲げ線２０を介して上方に連続して設けられる右側蓋板部２１とを備えている。
【００２１】
蓋板部１７は、後述のように構成される箱体１００の上端開口部１００Ｋを閉じる大きさに構成された横長状の蓋部本体１７Ａと、蓋部本体１７Ａの上端に折り曲げ線２２を介して上方に連続して設けられ前側板部８の上端部の内面に差し込まれて蓋部本体１７Ａを係止固定するための横長状の係止部１７Ｂとを備えている。
【００２２】
左側蓋板部１９又は右側蓋板部２１は、それぞれの折り曲げ線１８又は２０を介して包装箱の内面側へ９０度折り曲げることによって、折り曲げ線１６を介して包装箱の内面側へ９０度折り曲げられる蓋部本体１７Ａの左右両端部の内面１７ａ，１７ｂに当接して、蓋部本体１７Ａを水平姿勢で保持するように機能する。
【００２３】
また、左側蓋板部１９又は右側蓋板部２１は、左側板部１０又は右側板部１２と略同一左右幅を有しているが、左側蓋板部１９又は右側蓋板部２１の左右端のうちの前側板部８側端面１９Ａ又は２１Ａが、前側板部８の左側折り曲げ線９を上方へ延長した仮想延長線又は右側折り曲げ線１１を上方へ延長した仮想延長線よりも少し左側又は少し右側に位置している。これによって、９０度折り曲げられた左側蓋板部１９又は右側蓋板部２１の前側板部８側端面１９Ａ又は２１Ａと前側板部８の上端内面８Ａとの間に小さな隙間が形成され、その隙間に前記係止部１７Ｂを容易に差し込むことができるようになっている。
【００２４】
底部５は、前側板部８の下端に折り曲げ部である折り曲げ線２３を介して下方に連続して設けられる前側底板部２４と、後側板部１４の下端に折り曲げ部である折り曲げ線２５を介して下方に連続して設けられる後側底板部２６と、左側板部１０の下端に折り曲げ部である折り曲げ線２７を介して下方に連続して設けられる左側底板部２８と、右側板部１２の下端に折り曲げ部である折り曲げ線２９を介して下方に連続して設けられる右側底板部３０とを備えている。
【００２５】
前側底板部２４は、前側板部８と略同一左右幅を有し、閉じた状態の底部５の前後方向略前側半分の面積を覆う前後長さを有する長方形状に構成されている。
【００２６】
後側底板部２６は、基本的には、後側板部１４と略同一左右幅を有し、閉じた状態の底部５の前後方向略後側半分の面積を覆う前後長さを有する長方形状に構成されている。後側底板部２６における前側底板部２４と異なる部分は、後側板部１４の左側板部１０側下端から下方側ほど左側板部１０から離間する左側傾斜端面２６Ａと、後側板部１４の左側板部１０から離間する左端の下端から下方側ほど左側板部１０側に位置する右側急傾斜端面２６Ｂと、この右側急傾斜端面２６Ｂの下端から垂直に下がる垂直端面２６Ｃとを有している。右側急傾斜端面２６Ｂと垂直端面２６Ｃとで構成される段部２６Ｄに、後述する右側底板部３０の段部３４が係止することによって、底部５の強度を向上している。
【００２７】
左側底板部２８は、左側板部１０の下端における左右両端から下方に下端側ほど左右方向中心に位置する２つの傾斜辺２８Ａ，２８Ｂを有する略三角形状に構成されている。
【００２８】
右側底板部３０は、基本的には、左側底板部２８と同様に、右側板部１２の下端における左右両端から下方に下端側ほど左右方向中心に位置する２つの傾斜辺３０Ａ，３０Ｂを有する略三角形状に構成されている。右側底板部３０における左側底板部２８と異なる部分は、右側の傾斜辺３０Ｂが、右側板部１２の右側下端から下方側ほど左側に位置する緩やかな第１傾斜辺３１と、第１傾斜辺３１の下端から左側に延びる水平辺３２と、水平辺３２の左端から下方に下端側ほど左右中心に位置する第２傾斜辺３３とを備えている。水平辺３２と第２傾斜辺３３とで構成される段部３４に、前記後側底板部２６の段部２６Ｄが係止する（図７参照）。
【００２９】
底部用連結部７は、第１連結板部３５と第２連結板部３６とを備えている。第１連結板部３５は、右側底板部３０の左側の傾斜辺３０Ａから下方に延びるように設けられ右側底板部３０と前側底板部２４とを連結するために設けられている。尚、左側の傾斜辺３０Ａが第１連結板部３５を折り曲げるための折り曲げ線になる。
【００３０】
第１連結板部３５の内面３５Ａには、糊（図示せず）が塗布される。従って、右側底板部３０を折り曲げ線２９で右側板部１２の内面に重ねるように折り曲げてから、第１連結板部３５を折り曲げ線３０Ａで右側底板部３０の外面に重ねるように折り曲げる。また、前側底板部２４を折り曲げ線２３で前側板部８の内面に重ねるように折り曲げる。この折り曲げられた状態において、右側板部１２を折り曲げ線１１で前側板部８に重ねるように折り曲げることによって、前側底板部２４の外面２４Ａ（図２参照）に第１連結板部３５の内面３５Ａの糊を接触させる。これによって、右側底板部３０と前側底板部２４とを第１連結板部３５を介して連結することができる。
【００３１】
第２連結板部３６は、左側底板部２８の左側の傾斜辺２８Ａから下方に延びるように設けられ左側底板部２８と後側底板部２６とを連結するために設けられている。尚、左側の傾斜辺２８Ａが第２連結板部３６を折り曲げるための折り曲げ線となる。
【００３２】
また、第２連結板部３６の内面３６Ａにも、糊（図示せず）が塗布される。従って、左側底板部２８を折り曲げ線２７で左側板部１０の内面に重ねるように折り曲げてから、第２連結板部３６を折り曲げ線２８Ａで左側底板部２８の外面に重ねるように折り曲げる（図２参照）。また、後側底板部２６を折り曲げ線２５で後側板部１４の内面に重ねるように折り曲げる（図２参照）。この折り曲げられた状態において、後側板部１４２を折り曲げ線１３で左側板部１０に重ねるように折り曲げることによって、後側底板部２６の外面２６ａを第２連結板部３６の内面３６Ａの糊に接触させる。これによって、後側底板部２６と左側底板部２８とを第２連結板部３６で連結することができる。
【００３３】
保持板部６は、前側板部８の下端に下方に折り曲げ線３９を介して連続して設けられ、箱体１００を組み立てる時に箱体１００の内部に位置して収納される物品を支持する。前記折り曲げ線３９は、箱体１００の組み立て時に保持板部６が箱体１００の内部に位置したときに、容易に折れ曲がるように構成されている。例えば、折り曲げ線３９に沿って切り取り線を形成することによって、折り曲げ線３９が容易に折れ曲がる。
【００３４】
詳述すれば、保持板部６は、前側底板部２４の幅と略同一幅を有し、かつ、幅方向に沿って複数（図では５つ）の縦長状のスリット６Ｓが間隔を置いて形成されている。また、保持板部６の下方端に、折り曲げ線３７を介して下方に延びる延出片３８を備えている。箱体１００の組み立て時において、保持板部６が箱体１００の内部に位置した時に、延出片３８が後側板部１４の内面１４Ａに当接して折り曲げ線３７で折曲がることで箱体１００内に延出端側ほど上方に位置する傾斜姿勢で配置されるように、保持板部６の延出方向の長さを設定している。
【００３５】
上記のように、保持板部６が、前側底板部２４の幅と略同一幅を有しているため、箱体１００を組み立てるときに不測に折れ曲がることを抑制することができる保形強度を備えることができる。また、箱体１００を組み立てるときに、図６に示すように、後側板部１４の内面１４Ａに延出端に設けた延出片３８が当接して箱体１００内に延出端側ほど上方に位置する傾斜姿勢で保持板部６が自ずと配置され、常に保持板部６を同一の傾斜姿勢に配置することができる。図６では、延出片３８が、後側板部１４の内面に沿う垂直姿勢に折れ曲がって後側板部１４の内面に当接しているため、後側板部１４が変形し難く箱体１００の補形強度を高めることができる。前記構成の保持板部６のスリット６Ｓに後述するブリスターパック（商品）４０を差し込んで係止保持させることによって、更に後側板部１４が変形し難く箱体１００の補形強度をより一層高めることができる。
【００３６】
次に、箱体１００を図示していない機械により組み立てる手順について説明する。紙製のシートを打ち抜いて、図１に示すシート状部材１を用意する。用意したシート状部材１は、まず、図２のように折り曲げられる。つまり、後側底板部２６、左側底板部２８、前側底板部２４、右側底板部３０を、本体部２に重ねるように折り曲げ線２５，２７，２３，２９で折り曲げる。これと同時に、第２連結板部３６を左側底板部２８に重ねるように折り曲げるとともに、第１連結板部３５を右側底板部３０に重ねるように折り曲げる。
【００３７】
続いて、第１連結板部３５の内面３５Ａ及び第２連結板部３６の内面３６Ａに糊（図示せず）を塗布してから、図３に示すように、右側板部１２を前側板部８に重ねるように折り曲げ線１１で折り曲げることによって、第１連結板部３５の内面３５Ａに右側板部１２の内面１２Ａ（図２参照）が押し付けられて、右側底板部３０と右側板部１２とが第１連結板部３５を介して糊で接着固定される。この後、本体用連結部３の外面３Ａに糊（図示せず）を塗布してから、後側板部１４を左側板部１０に重ねるように折り曲げ線１３で折り曲げることによって、図４に示すように、第２連結板部３６の内面３６Ａに後側底板部２６の外面２６ａ（図３参照）が押し付けられて、左側底板部２８と後側底板部２６とが第２連結板部３６により糊で接着固定される。これと同時に、本体用連結部３の外面３Ａに後側板部１４の左側端の内面１４Ａ（図３参照）が押し付けられて、後側板部１４と右側板部１２とが本体用連結部３を介して糊で連結される。これによって、二つ折り状態の箱成形体１０１を構成することができる。尚、図５は、図４の箱成形体１０１の表裏を逆にした状態を示している。
【００３８】
図５の二つ折り状態の箱成形体１０１が構成されると、２つの左右の側板部１０，１２を２つの前後の側板部８，１４に対して９０度起立させることによって、図６及び図７に示すように、４つの底板部２６，２８，２４，３０が略水平姿勢に姿勢変更して底部が閉じられた四角形の箱体１００を構成すると同時に該箱体１００内に前記保持板部６が後側ほど上方に位置する傾斜姿勢で配置される。
【００３９】
上記のように、本体部２に重ねるように底部５を折り曲げ、折り曲げた底部５に重ねるように底部用連結部７を折り曲げるとともに、左右方向両端に位置する２つの側板部１４，１２を内側に位置する２つの側板部１０，８に重ねるように折り曲げる。これによって、二つ折り状態の箱成形体１０１を構成する。二つ折り状態の箱成形体１０１が構成された後において、二つ折り状態の箱成形体１０１を構成する左右の側板部１０，１２を前後の側板部８，１４に対して９０度起立させることにより底部５によって閉じられた四角形の箱体１００を構成すると同時に箱体１００内に保持板部６が自ずと配置される。これにより、箱体１００を組み立てる前の二つ折り状態の箱成形体１０１を構成する際に、保持板部６に対する特別な作業を行うことを不要にすることができる。
【００４０】
前記のように構成された箱体１００内の保持板部６のスリット６Ｓに、図８に示すように、商品であるブリスターパック４０を差し込んで係止保持させる。この後、左右の蓋板部１９，２１を箱体１００の内部側へ９０度折り曲げてから、係止部１７Ｂを箱体１００の内部側へ９０度折り曲げるとともに、蓋部本体１７Ａを箱体１００の内部側へ９０度折り曲げることによって、係止部１７Ｂを前側板部８の内面側に差し込んで蓋部本体１７Ａで箱体１００の上端開口部１００Ｋを閉じることができる。蓋部本体１７Ａを閉じた後は、箱体１００を運搬して店頭等に展示する。尚、商品を展示する場合には、箱体１００内から商品を取り出して商品を吊り下げるための什器などに吊り下げて展示してもよいし、また、箱体１００の一部を切り取って、箱体１００に商品を収納した状態で展示してもよい。ここでは、保持板部６のスリット６Ｓに、ブリスターパック（商品）４０を差し込んで係止保持させる構成としているが、スリット６Ｓの無い保持板部６で商品を保持することもできる。例えば、保持板部６の傾斜上面と前側板部８の内面とで商品を保持する構成とすることが考えられる。
【００４１】
尚、本発明は、前記実施形態に限定されるものではなく、本発明の要旨を逸脱しない範囲で種々の変更が可能である。
【００４２】
前記実施形態では、左端から後側板部、左側板部、前側板部、右側板部の順に配置して本体部を構成したが、左端から左側板部、前側板部、右側板部、後側板部の順に配置してもよいし、また、左端から前側板部、右側板部、後側板部、左側板部の順に配置してもよいし、また、右側板部、後側板部、左側板部、前側板部の順に配置してもよい。
【００４３】
また、前記実施形態では、本体用連結部３を本体部２の右端に位置する側板部（例えば図１では右側板部１２）に備えたが、本体部２の右端に位置する側板部（例えば図１では後側板部１４）に備えて実施してもよい。
【００４４】
また、前記実施形態では、底部用連結部７を底板部２８，３０の左側の傾斜辺２８Ａ，３０Ａに備えたが、底板部２８，３０の右側の傾斜辺２８Ｂ，３０Ｂに備えて実施してもよい。
【００４５】
また、前記実施形態では、蓋部４を、蓋板部１７と左右の蓋板部１９，２１とから構成したが、左右の蓋板部１９，２１を省略して蓋板部１７のみで構成してもよいし、蓋部４が全くない上方開放型の包装箱であってもよい。
【００４６】
また、前記実施形態では、保持板部６を複数の商品を保持できるように構成したが、１個の商品を保持できる構成であってもよい。また、保持板部６を傾斜姿勢にしたが、垂直姿勢で商品を保持できるように構成することもできる。
【００４７】
また、前記実施形態では、連結する直前に本体用連結部３及び２つの連結板部３５，３６に接着剤を塗布したが、組み立て作業前に予め接着剤を塗布しておいてもよく、接着剤を塗布するタイミングはどのように設定してもよい。
【符号の説明】
【００４８】
１…シート状部材、２…本体部、３…本体用連結部、３Ａ…外面、４…蓋部、５…底部、６…保持板部、６Ｓ…スリット、７…底部用連結部、８…前側板部、９…折り曲げ線、１０…左側板部、１１…折り曲げ線、１２…右側板部、１２Ａ…内面、１３…折り曲げ線、１４…後側板部、１４Ａ…内面、１５…折り曲げ線、１６…折り曲げ線、１７…蓋板部、１７Ａ…蓋部本体、１７Ｂ…係止部、１７ａ，１７ｂ…内面、１８…折り曲げ線、１９…左側蓋板部、１９Ａ…端面、２０…折り曲げ線、２１…右側蓋板部、２２，２３…折り曲げ線、２４…前側底板部、２４Ａ…外面、２５…折り曲げ線、２６…後側底板部、２６Ａ…左側傾斜端面、２６Ｂ…右側急傾斜端面、２６Ｃ…垂直端面、２６Ｄ…段部、２６ａ…外面、２７…折り曲げ線、２８…左側底板部、２８Ａ…傾斜辺（折り曲げ線）、２８Ｂ…傾斜辺、２９…折り曲げ線、３０…右側底板部、３０Ａ…傾斜辺（折り曲げ線）、３０Ｂ…傾斜辺、３１…第１傾斜辺、３２…水平辺、３３…第２傾斜辺、３４…段部、３５…第１連結板部、３５Ａ…内面、３６…第２連結板部、３６Ａ…内面、３７…折り曲げ線、３８…延出片、３９…折り曲げ線、４０…ブリスターパック、１００…箱体、１００Ｋ…上端開口部、１０１…箱成形体
【図１】
2015096427.tif 000003
【図２】
2015096427.tif 000004
【図３】
2015096427.tif 000005
【図４】
2015096427.tif 000006
【図５】
2015096427.tif 000007
【図６】
2015096427.tif 000008
【図７】
2015096427.tif 000009
【図８】
2015096427.tif 000010